Podtech/llm-jp-corpus-v4-ja_patent huggingface dataset:
(57)【要約】【課題】人体に安全な環境で、殺菌と同時に消臭機能も併せ持つウエットティッシュを提供する。【解決手段】ウエットティッシュ製造時に防腐抗菌剤を入れる事なく、紙または布または不織布等に安定化二酸化塩素水を含浸させる事により、人体に刺激が少ない、消毒と同時に消臭機能も併せ持つウエットティッシュを提供する。【選択図】　　　　　図１
2004105431.tif 000002
【特許請求の範囲】
【請求項１】
紙又は布又は不織布等に安定化二酸化塩素水を含浸させたウエットティッシュ。
【発明の詳細な説明】
【０００１】
【発明の属する技術分野】
本発明は病院や家庭又は調理場厨房等で殺菌、消臭両方兼ね備えた目的で使用するウエットティッシュに関する。
【従来の技術】
基材に水溶液を含浸して容器に収納した包装体とし、容器より取り出して、手顔や肌の漬拭に多様されている。一般に、含浸する水溶液の中に防腐抗菌剤が含まれていなければ、ウエットティッシュ製品内部においてカビ及び細菌の増殖を招くので、製品の安全のために抗菌剤の添加が必須とされている。
【０００２】
従来、汎用されている抗菌剤の代表的なものとしては、パラオキシン安息香酸メチル、パラオキシン安息香酸エチル、パラオキシン安息香酸ｎ−プロピル、パラオキシン安息香酸イソブチル、パラオキシン安息香酸ｎ−ブチル、パラオキシン安息香酸ｎ−イソブチルのパラベン類、あるいは塩化ベンゼトニウム、塩化ベンザルコニウム（特許公開平８−１６４１９１）、グルコン酸クロルヘキシジン、エチルアルコール等が挙げられる。中には、次亜塩素酸含有（特許公開平９−１７３４２７）のものもある。これらの抗菌剤は、カビ及び細菌の防止には有効であるが、人の肌、特に乳幼児、老人、皮膚疾患患者のように皮膚の抵抗力の低い人に対しては好ましくないもので、特に過敏症の肌には刺激や湿疹等の反応があまりよくないとされているが、他に製品の安全性を保つ方法がないためにやむをえずこれらの防腐抗菌剤が採用されている。また、次亜塩素酸ソーダの塩素化反応から発生する塩素はアトピーの原因の一つといわれている。また、その使用は発ガン性物質の発生原因と欧米で発表されている。また、アルコール系抗菌剤は引火性も懸念されるところである。
【０００３】
しかしながら、抗菌性などの特性と皮膚に対する刺激性とは時として相反する特性であり、単独の防腐抗菌剤で両者を満足するものは少ない。また複数の種類の薬剤を併用して、目的を達成する試みもあるが、併用する薬剤同士が反応を起こして、薬効が減殺されたり、着色、沈殿を起こして商品価値を低下させることが多い。
【０００４】
特に在宅介護、育児等において汚物処理作業と皮膚洗浄作業に必要な機能、すなわち消臭機能と同時に抗菌消毒機能の両者を併せ持つ抗菌剤も少ない。
【０００５】
また、同時に食材において鮮度保持効果が期待出来るウエットティッシュは発見されない。
【０００６】
【発明が解決しようとする課題】
安定化二酸化塩素水を用いて過敏症の肌にも刺激のない優しい製品で、カビ及び細菌の増殖の心配のない安全な消臭と同時に抗菌効果の両者を併せ持ち、また、人体に安全な抗菌機能により食材等の鮮度保持機能も期待できるウエットティッシュを提供する事を課題とするものである。
【０００７】
【課題を解決するための手段】
本発明は安定化二酸化塩素水の酸化反応が結果として、人体に安全で抗菌及び消臭の両機能を合わせ持つという特性を利用し、それを紙又は布又は不織布等に含浸させ揮発しないように密封性のある包装資材に入れたウエットティッシュ形状とし、携帯することによりいつでも抗菌消毒機能と消臭機能が発揮出来、且つ、人体に安全に使用することが出来るものである。
【０００８】
含浸させる溶液の主成分は安定化二酸化塩素水０．１ｐｐｍから１，０００ｐｐｍ望ましくは２ｐｐｍから３００ｐｐｍの範囲において含浸させて使用する。
【０００９】
安定化二酸化塩素水においては、人が摂取する水道水においては２ｐｐｍ濃度を適用することも可能であり（生衛発第１３７９号）、その殺菌消毒効果も発表されている。
【００１０】
安定化二酸化塩素水は欧米でも安全性が確認されており、例えば、ＷＨＯでは最上位の安全性ランクＡ１（摂取しても安全）に認定されている（１９４８）。また、厚生省より水道水、プールの消毒に認可されている。約５０ｐｐｍの二酸化塩素濃度においては次亜塩素酸ナトリウムの約０．００５％即ち必須濃度の千分の５でもって必須殺菌力を達成する（特許公開平７−３０８６５１）。大腸菌などにたいしては、安定化二酸化塩素水濃度１ｐｐｍで、５０％アルコールの殺菌力に匹敵する（図１）
【００１１】
【発明の実施の形態】
抗菌力テスト結果を図１、図２に示す。脱臭効果テスト結果を図３に示す。
【００１２】
以下、実施例に基づいて、本発明に係るウエットティッシュの好ましい態様をさらに具体的に説明するが、本発明はこれらに限定されるものではない。
【００１３】
【実施例】
（実施例１）病院、在宅介護の消毒と同時に消臭効果を期待する場合、清拭剤としての機能やＭＲＳＡ菌対策、結核、ウイルス菌対策に効果が認められる。水溶液は１ｐｐｍから２５０ｐｐｍが望ましい。例としては、ウエットティッシュ、クレンジングティッシュ、使い捨てお絞り、お尻ナプキン（ベビー用品）等の衛生用品がある。
（実施例２）厨房抗菌消毒と同時に消臭を期待する場合、抗菌効果で度保持も期待出来る。含浸不織布等で拭き取る場合や包む場合の他に液の蒸発により空中浮遊菌対策にもなる。例としては、台所、トイレ掃除用の濡れティッシュ、フローリング掃除用のウエットローラー等が挙げられる。
【００１４】
【発明の効果】
皮膚に刺激の少ない、消毒殺菌、消臭効果を兼ね備えたウエットティッシュを使用することにより、家庭の場合、幼児や非介護者に対するデリケートな粘膜等にも刺激が少ない。汚物処理等は１回の動作で消毒と同時に消臭効果も期待出来、そのまま包み込んで廃棄処理が出来る等、力化に繋がる。次亜塩素酸のような塩素系薬剤を使用していないので手荒れが起こりにくい。病院の場合、耐性菌を作らないため院内感染の防止となる。塩化ベンザルコニウムでは無理とされる結核、ウイルス感染予防対策になる。また、ウエットティッシュ含浸液剤の自然蒸発により近辺の浮遊菌殺菌や消臭にも効果が期待出来る。空中散布方法もすでに存在するが、ティッシュペーパー表面積からの自然蒸発で３次元的に効果が期待出来る。人体に安全な抗菌機能により非介護人、幼児等の食材の鮮度保持機能も期待出来る。
【００１５】
【図面の簡単な説明】
【図１】殺菌効果の比較データである。
【図２】安定化二酸化塩素水の殺菌効果の比較データである。
【図３】脱臭効果試験結果である。
【図１】
2004105431.tif 000003
【図２】
2004105431.tif 000004
【図３】
2004105431.tif 000005
(57)【要約】【課題】保存時におけるユビキノンの分解を有意に防ぎ、安定なユビキノン含有食品を提供する。【解決手段】食品を調製する際に、ユビキノンと非還元糖を併用する。好ましくは、非還元糖が二糖類のスクロース、トレハロース；三糖類のラフィノース、ゲンチアノース；四糖類以上のスタキオース、ａ−シクロデキストリンから選ばれる１種以上である。【選択図】なし【特許請求の範囲】
【請求項１】
ユビキノン及び非還元糖を含有することを特徴とするユビキノン含有食品
【請求項２】
非還元糖がスクロース、トレハロース、ラフィノース、ゲンチアノース、スタキオース、ａ−シクロデキストリンから選ばれる１種または２種以上の組み合わせであることを特徴とする請求項１に記載のユビキノン含有食品
【請求項３】
食品が飲料であることを特徴とする請求項１または２に記載のユビキノン含有食品
【請求項４】
ユビキノンがユビデカレノンであることを特徴とする請求項１乃至３記載のユビキノン含有食品
【発明の詳細な説明】
【０００１】
【発明の属する技術分野】
本発明は、ユビキノン含有食品に関する。さらに詳しくは、ユビキノン含有食品に添加したユビキノンの分解を防止するために、非還元糖を混合した飲料に関する。
【０００２】
【従来の技術】
近年の健康志向の増加により、医薬品として使用されていた成分が一般の食品へも使用できるものが増加している。その中の一つであるユビキノンは、コエンザイムＱ、補酵素Ｑ、ＣｏＱ、ＵＱとも呼ばれる脂溶性成分であり、従来は医薬品としてのみ使用されていた（特開昭６０−２５９１８、特開昭５９−１６１３１４等）が、昨年より食品へも使用できることとなった。ユビキノンは生体内で重要な補酵素的作用を呈するビタミン様物質として知られており、その生理活性作用として、ミトコンドリア内の電子伝達体として機能していることが知られている。
【発明が解決しようとする課題】
【０００３】
係るユビキノンを飲料等の食品に添加した場合、食品中の他の成分の影響や、経時的な問題から、ユビキノンの残存量が著しく減少するという問題が生じていた。ユビキノンの残存量が減少すると、ユビキノンが持つ生理活性効果を期待することができなくなり、ユビキノンの添加量を増やさなければならないという問題が生じていた。
【０００４】
このようなことから、飲料等の食品中におけるユビキノンの減少を防止することは、極めて重要なことである。これに対し、従来より使用されていた酸化防止剤等の添加物を添加する方法が考えられる。
【０００５】
本願発明は以上のような課題に鑑みてなされたものであり、その目的は、ユビキノン含有食品に添加したユビキノンが減少することを防止するものであり、生理活性作用を有するユビキノンを容易に摂取できる、より多くの消費者に受け入れられるユビキノン含有食品の開発につなげることにある。
【０００６】
【課題を解決するための手段】
以上の目的を達成するために、本願発明者らが鋭意研究を重ねた結果、ユビキノンに非還元糖を併用して飲料等のユビキノン含有食品に添加することにより、ユビキノンの減少を効率よく防止できることを見出し、本発明を完成するに至った。
【０００７】
本願発明におけるユビキノンとは、コエンザイムＱ、補酵素Ｑ、ＣｏＱ、ＵＱとも呼ばれる脂溶性成分である。ユビキノンを食品に添加する場合、適当な公知の乳化剤；アラビアガム等を用いて乳化したものや、係る乳化物を適当な粉末化基材；デキストリン等を混合して噴霧乾燥や凍結乾燥等の公知の方法により粉末化したものを用いることができる。
【０００８】
ユビキノンの添加量は、食品、中でも飲料に対しては１０〜５，０００ｐｐｍの範囲であれば、任意の添加量とすることができる。添加量が少なすぎるとユビキノンの効果が期待できず、添加量が多すぎるとユビキノン自身が飲料の味覚に影響を及ぼすようになる。
【０００９】
また、本願発明における非還元糖とは、還元性の無い糖であれば制限無く使用できる。例えば、二糖類のスクロース、トレハロース；三糖類のラフィノース、ゲンチアノース；四糖類以上のスタキオース、ａ−シクロデキストリンなどが例示できる。
【００１０】
非還元糖の添加量は、食品に添加するユビキノンの添加量に応じて適宜調整することができる。好ましくは通常飲料に添加する範囲であればよく、具体的には飲料に対して１〜３０重量％の範囲、好ましくは５〜２０重量％であればよい。過剰に添加すると食品の味に影響を及ぼすこととなるので好ましくない。
【００１１】
本願発明に係るユビキノンを添加できる食品は特に制限されないが、広く食品全般に使用することができるが、特に飲料が好ましい。飲料の製法は常法に従うことができる。
本発明に係るユビキノン含有食品には、前述に加えて、本願発明の効果を損なわない限度において必要に応じて、牛乳、全粉乳、脱脂粉乳、生クリームなどの乳成分、卵黄、卵白等の卵加工品、酸味料、調味料、色素、香料、果汁、ピューレ、ココア粉末、チョコレート、保存料、エキス、糊料、ｐＨ調整剤、洋酒、ビタミンその他ミネラル類等を任意に添加することができる。
又、スクラロース、アセスルファムＫ、アスファルテーム、ネオテームなどを非還元糖と併用することもできる。
【００１２】
【実施例】
以下、本願発明を実施例を用いて説明するが、本願発明はこれらに何等限定されるものではない。また、特に記載の無い限り「部」とは、「重量部」を意味するものとする。文中の＊印のものは、三栄源エフ・エフ・アイ株式会社製、文中※印は三栄源エフ・エフ・アイ株式会社の登録商標であることを示す。
【００１３】
実施例１、比較例１〜２、参考例１〜２
ユビキノンの１種であるユビデカレノンを添加したスポーツ飲料を下記の表１の処方に従い常法により調製し、調製直後、６０℃２週間後及び６０℃４週間後の各飲料中のユビデカレノンの残存量をそれぞれ計測した。残存量の計測は、ユビデカレノン標準液を対照液として調整し、ＨＰＬＣにより計測した。
１　処方例
【表１】
2004105103.tif 000002
２　ＨＰＬＣ試験液の調製
ユビデカレノン標準液
ユビデカレノン標準品を０．０５ｇ精秤し、無水エタノールを少量加えて溶かし、５０℃まで加温して溶解する。室温まで冷却した後、無水エタノールを加えて５０ｍｌとする。これを２ｍｌ取り、無水エタノールで５０ｍｌとする。これを１ｍｌずつ取り、無水エタノールで１００、５０、２５ｍｌとしＨＰＬＣ標準液とする。
試料試験液
下記処方に基づく飲料を２ｍｌとり、無水エタノールを加えて正確に１０ｍｌとする。これを２分間超音波処理した後、０．４５μｍＰＴＦＥフィルターを通しＨＰＬＣ試験液とする。
３　ＨＰＬＣ分析条件
カラム　：Ｗａｃｏｓｉｌ−ＩＩ　５Ｃ１８ＨＧ　４．６×２５０ｍｍ
カラム温度　：３５℃
移動相　：メタノール／無水エタノール＝１２／８
流量　　：２．０ｍｌ　／　ｍｉｎ
検出波長　：ＵＶ　２７５ｎｍ
注入量　：６０μｍ
４　結果
【表２】
2004105103.tif 000003
以上のように、非還元糖を添加した本願発明品である実施例１におけるユビデカレノンの残存率が最も高かった。
参考までに非糖質甘味料であるスクラロースを併用した参考例１、非還元糖の全量をスクラロースに置換した参考例２についても、実施例１と同等の効果が得られた。
(57)【要約】【課題】黒米糠エキスの高濃度抽出に際し、残滓の安全性のために有機溶媒を使用せずに抽出する。ならびに、黒米糠油を乳化、分散、可溶化して化粧料に利用できるようにする。【解決手段】高温高圧下の水中でトルマリン鉱石を利用し、水の活性化と界面活性化で、高濃度の黒米糠エキスを抽出する。【選択図】　なし【特許請求の範囲】
【請求項１】
トルマリン鉱石による水の活性化と界面活性化を利用した、黒米糠エキスの抽出方法。
【請求項２】
前記の黒米糠エキス抽出後の残滓を用いた、健康食品及び食品着色料の製造方法。
【発明の詳細な説明】
【０００１】
【発明の属する技術分野】
本発明は、溶媒としてトルマリン鉱石を用いた高濃度の黒米糠エキスを得る抽出方法、および、抽出残滓を用いた健康食品や食品着色料の製造方法に関する。
【０００２】
【従来の技術】
黒米糠の利用に関して、特開平１１−３３２５０８や特開平７−２５０６４７のようにアントシアニン色素に重点がおかれている。また、その色素抽出には各種の溶媒が使われている。特開平９−２３８６４６のようにエタノールを使用して脱脂脱臭処理されている。
【０００３】
トルマリン鉱石の利用に関しては、特開平１１−２３５５９６のように水質改善やマイナスイオンに重点がおかれた考案が多い。
【０００４】
【発明が解決しようとする課題】
黒米糠には、米糠油と抗酸化作用のあるアントシアニン色素が含まれている。これらを、エキス抽出後の残滓の安全性のために有機溶媒を使わず抽出する。
【０００５】
また、米糠油にはガンマーオリザノールやスクワラン、「スーパービタミンＥ」と言われる天然トコトリエノールなど、肌に良い成分が豊富に含まれている。これらを乳化、分散、可溶化し、化粧料として利用できるようにする。
【０００６】
【課題を解決するための手段】
当初、高濃度のアントシアニン色素の抽出のためにクラスターの小さい水を使用して高濃度の色素を得ることができた。そこで、トルマリン鉱石を用い、高温高圧の圧力鍋で水のクラスターを小さくしながら色素抽出を試みた。
【０００７】
その結果、トルマリン鉱石により水のクラスターを小さくする活性化と、同時に界面活性化作用により米糠油をも溶解できた。
【０００８】
【発明の実施の形態】
黒米糠は、色素成分の多い朝紫を使用する。まず、黒米糠を３０メッシュのふるいにかけ、細かい黒米糠を取り除く。ふるいに残った黒米糠を、５０メッシュのふるいにかける。
【０００９】
ここで得られた中粒の黒米糠を、丸三産業株式会社のセレナむぎ茶パック１１×１０．５ｃｍに５０ｇを量り入れる。これを同じむぎ茶パックで三重に包む。高温・高圧の圧力鍋の中でパックが破れないようにするためと、抽出後の処理が容易になる。
【００１０】
黒米糠パックを６個３００ｇ作る。これを蒸し器にて１時間蒸す。蒸した黒米糠パックを、２％の澱粉消化酵素入りの溶液に浸し、澱粉を溶かし出す。
【００１１】
黒米糠パックを脱水し、これをミカドトレーデング株式会社製の圧力鍋に水３リットルとトルマリン鉱石３００ｇ入れ、２時間煮出す。この工程で糠層に潜んでいるセレウス菌を滅菌できる。
【００１２】
黒米糠パックを脱水して、１リットルの黒米糠エキスを得ることができた。
【００１３】
脱水後の黒米糠パックを電子レンジの強で１０分間温める。この工程で虫の卵を駆除できる。蛾の卵は高温下でも生き延びる場合がある。電子レンジの作用でこれらを孵化できなくすることができる。
【００１４】
上記の黒米糠パックをフリーズドドライにかけて乾燥する。黒米糠パックより糠を取り出し、これをミルミキサーにて微粉末化する。これをカプセルに充填し健康食品とすることができる。また、黒米糠微粉末を各種の食品に自然着色料として利用できる。
【００１５】
【実施例】
特開平９−２３８６４６にある米糠食品着色料にあるように、脱脂・脱臭した米糠を添加した食品例がある。他にパン類、ケーキ類、うどん・パスタ類、煎餅、かりんとう、ところてん、アイスクリーム、などに着色可能である。各食品ともに、１個あたり黒米糠微粉末２ｇ以内が望ましい。
【００１６】
エキス関連では、基礎化粧品の石鹸、ヘアーシャンプー・リンス、化粧水、クリームなどに添加して、抗酸化化粧品ができる。配合率は、５〜１０％内が望ましい。
【００１７】
【発明の効果】
本発明により、黒米糠エキスの油脂成分と抗酸化作用のアントシアニン色素を効率よく、高濃度に、安全に、安価に抽出できた。また、抽出後の残滓も自然食品着色料として利用できた。
【００１８】
一般に肌や髪の毛は個人差があり、同一の化粧品を使用できない。本発明の黒米糠エキスを各人に合う化粧品に少量添加することにより、抗酸化作用のあるものに手軽に加工できる。
【００１９】
紫黒米朝紫は、一般に東北地方の単作地帯むきの品種であり、各地の特産品として加工利用されている。今も多様な商品開発により栽培が増えている。農家の収入もそれに乗じて増えている。
(57)【要約】【課題】鉢本体にカバーをつけた通気・排水調節可能な植木鉢を提供する【解決手段】鉢本体（１）の壁面に通気・排水口穴（２）と不通気・不排水部（３）を交互にもうけそれを取り巻く鉢カバー（４）にも同状態のものをもうける。鉢本体（１）に鉢カバー（２）を装着したのち必要に応じて鉢カバー（２）を回転ないし上下させることで通気・排水口穴（２）の開口面積の増減をはかる事を特徴とする。【選択図】図１
2004105158.tif 000002
【特許請求の範囲】
【請求項１】
鉢本体（１）の壁面に通気・排水口穴（２）と不通気・不排水部（３）を交互にもうける。それを取り巻く鉢カバー（４）にも同状態のものをもうける。
鉢本体（１）に鉢カバー（２）を装着したのち必要に応じて鉢カバー（２）を回転ないし上下させ通気・排水口穴（２）の開口面積の増減をはかる。
【発明の詳細な説明】
【０００１】
【発明の属する技術分野】
この発明は植木鉢の通気・排水量の調整をはかるものである。
【０００２】
【従来の技術】
従来、植木鉢の通気量および排水量は一定であった。
【０００３】
【発明が解決しようとする課題】
これには次のような欠点があった
（イ）降雨量が多い季節は排水量が一定のため根腐れがおきやすかった。
（ロ）植物は成長するにつれて必要な水分量が変化するので、成長するにつれて鉢ないし植える場所を変えなければならなかった。
本発明はこの欠点を除く為になされたものである。
【０００４】
【課題を解決するための手段】
鉢本体（２）の壁部に通気・排水口穴（２）と不通気・不排水部（３）を交互にもうける。
鉢カバー（４）にも同一範囲で通気・排水口穴（２）と不通気・不排水部（３）をもうける。
鉢本体（１）の外側に鉢カバー（４）を組み合わせ回転・上下調整をして通気・排水口（２）の開口面積を増減させる。本発明は以上のような構成よりなる。
【０００５】
【発明実施の形態】
以下、本発明の実施例について説明する
（イ）鉢本体（１）壁部に等間隔に通気・排気口穴（２）と不通気・不排水部（３）をもうける
（ロ）鉢カバー（４）にも通気・排気口穴（２）と不通気・不排水部（３）をもうける
（ハ）鉢（１）の外側に鉢カバー（４）を装着し、降雨量をみながら回転・上下させ通気・排気口穴（２）の開口部面積の増減をはかる
【０００６】
【発明の効果】
降水量や植物の成長をみながら開口部を増減させることにより、より好環境を保持することができる
【図面の簡単な説明】
【図１】本発明の斜視図である
【図２】本発明の断面図である
【符号の説明】
１鉢全体
２通気・排気口穴
３不通気・不排水部
４鉢カバー
【図１】
2004105158.tif 000003
【図２】
2004105158.tif 000004
(57)【要約】【課題】腸内環境を整えるビフィズス菌とオリゴ糖（ラクチュロース）に、ビール酵母エキス（含有グルタチオン）を加え合わせ其の物の相乗効果により腸内環境を改善する健康食品。【解決手段】腸内環境を整えるとして特定保健用食品に使われている、ビフィズス菌とオリゴ糖（ラクチュロース）にビール酵母エキス（含有グルタチオン）を添加して、ビフィズス菌が増えると、乳酸などの有機酸が増え悪玉腐敗菌の繁殖を抑え、ラクチユロースはビフィズス菌を助け、また浸透圧下剤としての作用をもっていますので、便秘気味の人は量を調節し、程よい快便になる程度に飲みます、またグルタチオンは悪臭のスカトールの解毒に最適で、腸内環境を改善し健康維持を特徴とする。【特許請求の範囲】
【請求項１】
腸内環境を整えるとして特定保健用食品に使われている、ビフィズス菌とオリゴ糖（ラクチュロース）にビール酵母エキス（含有グルタチオン）を添加して腸内環境を改善し健康維持を目的とする健康食品。
【発明の詳細な説明】
【０００１】
【発明が属する技術分野】
本発明、ビフィズス菌とオリゴ糖（ラクチユロース）とビール酵母エキス（含有グルタチオン）を含有し腸内環境を整える、健康食品に関するもの。
【０００２】
【従来の技術】
従来から、腸に良い、ビフィズス菌とオリゴ糖（ラクチュロース）を含有する健康食品があるが、悪玉菌の分解作用で発生する有毒ガス・スカトールの解毒の問題がある。
【０００３】
【発明が解決しようとする課題】
悪玉菌の分解で発生する有毒ガスのスカトールを、ビール酵母エキス（含有グルタチオン）での解毒作用。
【０００４】
【課題を解決するための手段】
本発明は、腸に良い、ビフィズス菌とオリゴ糖（ラクチュロース）にビール酵母エキス（含有グルタチオン）を添加し、腸内環境の改善をより高める。
【０００５】
【発明の実施の形態】
ビフィズス菌とオリゴ糖（ラクチュロース）は、腸内環境の改善に良　いとして特定保健用食品として認められ、またビール酵母エキスはビールから派生製造される物で、安全で栄養的価値もあり特に含有されている、グルタチオンは医薬品として厚生省が効能を認めている優れた物で、腸でできる有毒、悪臭成分であるスカトールの解毒にグルタチオンが最適である。
【０００６】
【発明の効果】
ビフィズス菌とオリゴ糖で腸内環境を改善して善玉菌を増やし、悪玉腐敗菌を減らして有害物質の腸内生成を防ぎ、肺の細胞を傷害するスカトールを追放しＯー１５７など病原菌の感染を防ぎ、免疫力をアップし、胃の中のピロリ菌を抑制する、それでも残った有害物質は酵母エキスのなかのグルタチオンで防ぐことが期待できる健康食品。
(57)【要約】【課題】樹木１の移植に際し、活着率の高い移植法を提供することを目的とする。【解決手段】樹木１の周りの根２及び土壌３を、該樹木１の移植地面４に掘削した根鉢植込み穴５と該樹木１の根鉢１’との間に介在させる方法であって、上記植込み穴５の底面５’に上記根２及び土壌３を埋戻６し、その上に上記根鉢１’の下面１”を載置した後、該根鉢１’の外側面と上記植込み穴５の内側面との間に上記根２及び土壌３を埋戻し７する方法である。【選択図】　図２
2004105128.tif 000002
【特許請求の範囲】
【請求項１】
樹木の周りの根及び土壌を、該樹木の移植地面に掘削した根鉢植込み穴と該樹木の根鉢との間に介在させることを特徴とする樹木移植法。
【請求項２】
上記植込み穴の底面に上記根及び土壌を埋戻し、その上に上記根鉢の下面を載置した後、該根鉢の外側面と上記植込み穴の内側面との間に上記根及び土壌を埋戻しする請求項１記載の樹木移植法。
【発明の詳細な説明】
【０００１】
【発明の属する技術分野】
本発明は樹木の移植技術に関するものである。
【０００２】
【従来の技術】
樹木の移植は、大木になる程運搬等の都合上、根鉢は大きくとれず、その為多くの根が切断され移植後、養水分の吸収が落ち樹木へのダメージは大きい。枯死の率が高くなる。
【０００３】
そこで樹木の移植に際し、根鉢の外面を根巻材で被覆することによって活着率を向上させた（例えば特許文献１，２，３）。
【０００４】
即ち上記根巻材は肥料、吸水性高分子化合物からなる保水剤及び易溶性カルシウム剤等の植物活性剤とを含有させた材料であり（特許文献１）、
又は土材、繊維材、硬化剤及び水を調合した調合液を吹き付け又は注入して移植用根鉢を形成した（特許文献２）。
【０００５】
さらに発根に適した土即ち「改良土」を「根回し」時における「根鉢」の「埋戻土」として用い、これにより「細根」の発生と生長に適する用土を「根鉢」の「埋戻土」として用い、細根の発生量と生長量を増加させた（例えば特許文献３）。
【０００６】
最新の方法として胞子の土壌混在や、ペレット化して接種源の保存と接種源の活性維持を図る商品が開発されている。しかしながら、微生物は土着菌との競合関係が強く、商品と移植樹木の土着菌とも競合関係が発生し、その商品の効果はバラつき、あるいは疑問があるといわれている。
【０００７】
従来の樹木の移植は根鉢をつけて移植されるが、樹木の周りの土壌微生物主として菌根菌類の感染源である、根や土壌をその樹木とともに移動し埋め戻しに利用する方法はとられていない。
【０００８】
【特許文献１】
特開平９−８６号公報（請求項１）
【特許文献２】
特開平１１−２４３７９４号公報（請求項１〜７）
【特許文献３】
特開２００２−６５０６３号公報（第４頁第５欄第５行目〜第１１行目）
【０００９】
【発明が解決しようとする課題】
本発明は土壌微生物主として菌根菌類の接種源としての感染根、感染土壌をなるべく多く集め良好な状態に保管し樹木の移植とともに移動させ、その樹木固有の土着菌をより多く、その樹木の埋め戻しに使用し根を切断され養水分の供給が減少した樹木に土壌微生物主として菌根菌を多く感染させ、また埋め戻しの客土にもその樹木の土着菌が早く広がる環境づくりを行うことにより菌根菌類からの樹木への養水分の供給をふやし、樹木の活着を向上させることを目的とした工法である。
【００１０】
【課題を解決するための手段】
上記の目的を達成するため本発明は
第１に樹木の周りの根及び土壌を、該樹木の移植地面に掘削した根鉢植込み穴と該樹木の根鉢との間に介在させることを特徴とする樹木移植法、
第２に上記植込み穴の底面に上記根及び土壌を埋戻し、その上に上記根鉢の下面を載置した後、該根鉢の外側面と上記植込み穴の内側面との間に上記根及び土壌を埋戻しする上記第１発明記載の樹木移植法、
によって構成される。
【００１１】
【発明の実施の形態】
樹木１を移植する場合には幹１ａの根元の地面７を幹１ａを中心に切削円に沿ってショベルや鍬あるいはバックホウ等で掘削し根鉢１’を形成し、その際ノコギリ、チェンソー等で太根８等の根を切断し、地面７から分離する（図１）。
【００１２】
根鉢１’の外側地盤内には細根２が残留し、該細根２及び土壌３は土壌微生物主として菌根菌類に感染しているため、これを感染根２及び感染土壌３という。
【００１３】
上記感染根２及び感染土壌３を掘起して、移植地面４（図２）に搬送し、上記根鉢１’の径及び高さよりも大きい根鉢植込み穴５を地面４に掘削する。
【００１４】
上記植込み穴５の底面５’に上記感染根２及び感染土壌３を一定高さに埋戻６し、その上に植込み穴５の附近に移送した上記樹木１の根鉢１’の下面１”を載置し、該樹木１を起立させる。
【００１５】
その後、植込み穴５の内側面と根鉢１’の外側面との間隙又は空間に上記感染根２及び感染土壌３を埋戻６’して図２に示すように移植作業を終る。
【００１６】
菌根菌類（内生菌根、ＶＡ菌根、外生菌根等）と樹木との共生関係は深い。樹木から菌根菌類への炭水化物の供給は樹木の光合成による生産量の５〜３０％にあたるといわれている。この量は菌根菌類との共生関係の深さを示している。樹木は菌根菌類によって養、水分の吸収が増大し成長が促進されるがそれは外生菌子が根の機能をはたし根の養水分吸収面積を飛躍的に拡大し、養水分の可給の度合いを増大させている。例えていえば、土壌微生物と樹木の根の関係は、人や動物の腸内環境の養分摂取等における微生物との共生関係にあたる。
【００１７】
菌根菌類は接種源の純粋人工培養が出来ない為、感染根、感染土壌を使って増殖する以外にない。かつてオーストラリア等への松の導入が行われたが種子による導入は失敗した。しかし、苗による導入は成功した。苗による菌根菌を持ちこんだ結果によると理解されている。
【００１８】
また、古来より植林の苗木は圃場で育てられ土のついたまま山に植えられてきた。これは土壌微生物主として菌根菌の働きを理解していなかったが経験上の方法であった。
【００１９】
ところで上記感染根２及び感染土壌３は土壌微生物主として菌根菌類に感染していて図２に示す植込み穴５内における移植樹木１の土着菌であるため移植根鉢１’と競合はなく土壌微生物の着生成長も早く移植根鉢１’は土壌微生物との共生関係において失った根の機能を一部土壌微生物が補充し順調に生育し、移植地面４に活着する。
【００２０】
上記感染根２及び感染土壌３は根鉢１’の植込み穴５と根鉢１’との間に介在させるが、必ずしも根鉢１’の外面と植込み穴５の内面との全面に介在（埋戻し）する必要はなく、介在（埋戻し）厚さも適宜選定すれば足りる。
【００２１】
【発明の効果】
本発明は上述の樹木移植法によったので樹木の移植による活着を安定し得るばかりでなく、大樹程根鉢は幹と比較して小であるにも拘わらず活着率は安定するという効果がある。
【図面の簡単な説明】
【図１】移植前の樹木、根及び土壌を示す図である。
【図２】本発明方法による移植後の樹木、根鉢、感染根及び感染土壌を示す図である。
【符号の説明】
１　　　樹木
１’　　根鉢
１”　　下面
２　　　根
３　　　土壌
４　　　移植地面
５　　　根鉢植込み穴
５’　　底面
６，６’　埋戻し
【図１】
2004105128.tif 000003
【図２】
2004105128.tif 000004
(57)【要約】　　　（修正有）【課題】冷凍味付け、つま楊枝つき一口サイズお好み焼きの提供。【解決手段】直径１４センチ、厚み約２センチのお好み焼きを焼き上げ、ソース、マヨネーズを混合して塗り、その上にかつお節をかける。味付けされたお好み焼きに、ひし形一口サイズに折り取れるように２８ミリ幅の切り込みを縦横に交差していれる。【選択図】図４
2004105162.tif 000002
【特許請求の範囲】
【請求項１】
（イ）こむぎ粉キャベツ混合のねり物である
（ロ）混合ねり物を円形にして焼く
（ハ）一般にお好み焼きとゆう
【発明の詳細な説明】
▲１▼長径１４センチ　厚み約２センチのお好み焼にソース　マヨネーズを混合してぬりその上に、かつを、のりをかける
▲２▼味付けされたお好み焼きに２８ミリの切り込みを入れ一口サイズとなる
▲３▼一口サイズのお好み焼きを１８０℃以下の冷凍保存する
▲４▼食する時従来の切り込みの入っていない冷凍お好み焼きと違って手間もはぶけ一口のサイズなので大変食べやすく電子レンジで温めることによって何処でもすぐ食べることが出来る、お店で温めてもらうことも出来る
【図面の簡単な説明】
【図１】本発明の断面図である
【図２】図１の測面図である
【図３】一口サイズに切込みを入れた断面図である
【図４】一口のサイズがひし形になる
【図１】
2004105162.tif 000003
【図２】
2004105162.tif 000004
【図３】
2004105162.tif 000005
【図４】
2004105162.tif 000006
(57)【要約】【課題】喫煙者の喫煙量の減少と禁煙を達成する補助を行う灰皿を提供する。火のついた煙草を速やかに消火して、置き煙草が灰皿の外に落下して発生する、火災を予防する灰皿を提供する。【解決手段】煙草置き場を、点火側置き場（６）と吸引側置き場（３）とに分割形成して、点火側置き場（６）の移動を可能にして、灰皿本体（１）の内部の底面に、点火側置き場（６）を嵌合する移動ガイド（８１）（８２）（８３）を形成した、煙草の灰皿であることを特徴とする。【選択図】　図１
2004105161.tif 000002
【特許請求の範囲】
【請求項１】
火のついた煙草を、灰皿本体の外縁でなく内部へ係止する灰皿であって、灰皿本体の中心線に沿って内側へ複数突出形成された移動ガイドと、該移動ガイドに嵌まり合うガイド嵌合穴を裏面に形成した、着脱自在の点火側置き場と、灰皿本体の内周面と接合する位置に固定的に設けた吸引側置き場とから成り、
かつ前記点火側置き場にあっては、灰皿本体の中心方向から外周方向へ下り勾配の傾斜を形成し、該点火側置き場を、逐次移動配置するようにした、煙草の灰皿。
【発明の詳細な説明】
【０００１】
【発明の属する技術分野】
この発明は、灰皿の煙草置き場所を吸引側と点火側に分割し、煙草置き場を移動できるようにしたものである。
【０００２】
【従来の技術】
従来の灰皿で、内部の中心にドーナツ状、又は浮島形の煙草の置き場所を固定形成した灰皿はあるが、分割した煙草置き場の移動を可能にし、煙草置き場を移動することにより喫煙者が喫煙の量を徐々に減らして行く灰皿は無かった。
【０００３】
【発明が解決しようとする課題】
煙草においては、吸引口付近まで深く喫煙するほどタール・ニコチンの摂取量が多くなり、点火口に近い側で消火するほどタール・ニコチンの摂取量は少なくなる。したがって日常煙草を消火していた位置より徐々に点火口側に近い位置で消火し、喫煙量を減らすための灰皿を提供することを課題とする。
【０００４】
【課題を解決するための手段】
本発明を実施例斜視図（図１）にもとづいて説明すれば、灰皿本体（１）の煙草置き場所を吸引側置き場（３）と点火側置き場（６）に分割形成して、点火側置き場（６）を移動できるようにした。
点火側置き場（６）のガイド嵌合穴（７）を、固定された移動ガイド（８１）（８２）（８３）に嵌合する構造とした灰皿である。
【０００５】
【発明の実施の形態】
本発明の灰皿は耐熱性の素材を用い、灰皿本体（１）の形は円筒形か楕円筒形として、上縁は、図４に示すように、煙草が転がる程度の傾斜を、本の前後に形成する。また凹形の内部を形成して、内部寸法は楕円筒形の場合は楕円の長い方を、円筒形の場合は直径を、市販されている紙巻煙草以上とする。
【０００６】
灰皿本体（１）の内壁に沿って固定の吸引側置き場（３）を、内壁より低い場所に設け、市販の紙巻煙草フィルター程度の長さ寸法として、上面には吸引側溝（５）を形成する。
【０００７】
灰皿本体（１）の中に、以下（イ）〜（ヘ）のように形成した点火側置き場（６）を置く。（イ）裏面に、移動ガイド（８１）（８２）（８３）と嵌み合い、灰皿の前後が識別できる形のガイド嵌合穴（７）（図３参照）、（ロ）煙草を置く時と持つ時に引っ掛らない程度の幅と径の点火側溝（４）、（ハ）灰皿本体（１）の中心方向より外周方向へ下り勾配の傾斜（図３参照）、（ニ）点火側溝（４）とガイド嵌合穴（７）が接触しない高さ、（ホ）この点火側置き場（６）を移動ガイドに嵌合した時に、前後の移動ガイドに乗り上がらない大きさ、（ヘ）火のついた煙草を置いたままにした時、自然消火に至るのに最低限必要な長さの溝、すなわち喫煙部の四分の一以上の長さの溝、以上のように形成する。
【０００８】
灰皿本体（１）の、内部の底面には、吸引側溝（５）の中心線に沿って複数の移動ガイド（８１）（８２）（８３）を突出形成して灰皿の前後が識別でき、点火側置き場（６）の嵌合穴（７）に合致する形状とする。
【０００９】
以下に、本発明の使用例について説明する。
（イ）　喫煙者は、日常吸い残している煙草の吸殻を、灰皿本体（１）の煙草置き場（３）と（６）の間に置き、その長さが移動ガイド（８１）の点火側溝（４）より短く、この点火側溝（４）に乗り上がらない場合は、今後は煙草を、この点火側溝（４）まて喫煙したら、即座に消火する。この移動ガイド（８１）の喫煙量に慣れたら、点火側置き場（６）を次の移動ガイド（８２）に、ガイド嵌合穴（７）に合わせて嵌合する。この移動ガイド（８２）の喫煙量に慣れたら、点火側置き場（６）を次の移動ガイド（８３）に、ガイド嵌合穴（７）に合わせて嵌合する。この移動ガイド（８３）の喫煙量に慣れたら、喫煙の本数を徐々減らしていく。
（ロ）　ガイドが（８１）（８２）（８３）のいずれの位置に点火側置き場（６）が嵌合してある場合においても、点火した煙草を、灰皿本体（１）の煙草置き場（３）と（６）の間に置いた時、煙草の燃焼している部分が点火側溝（４）に乗り上がっていない時は、継続して喫煙することは喫煙者の任意であるが、燃焼している部分が点火側溝（４）の上に乗り上がった時は、即座に消火する。
（ハ）　火のついた煙草を、喫煙の途中に本発明の灰皿に、一時置きをしないで喫煙する場合においても、燃焼している部分が点火側溝（４）に乗り上がる所まで喫煙したら、即座に消火する。
【００１０】
喫煙者が、火のついた煙草を灰皿外周（２）に置くと、傾斜により落下するため、必ず煙草置き場（３）と（６）の煙草置き場溝（４）と（５）の間に置くことになる。
【００１１】
また、仮に喫煙者が、本発明の灰皿外周（２）に火のついた煙草を置いた場合に、灰皿本体内に該煙草が自然落下するように、図３に示すように外周全体に傾斜をもたせる機能とすることが望ましい。
【００１２】
【発明の効果】
（イ）　本発明は以上のような構造と使用方法であるから、節煙および禁煙の意志のある喫煙者が、任意で喫煙量を徐々に減らしていき、無理なく禁煙を達成することができる灰皿である。
なお本発明の基本的な実施例にあるように、点火側置き場（６）を移動可能に形成するのとひきかえに、吸引側置き場（３）を移動する方式や、吸引側置き場（３）と点火側置き場（６）の双方の置き場を移動可能に形成する方式、及び煙草置き場の移動の方法をスライド式や差込式にする方式もよい。
（ロ）　上記により、消火を忘れた置き煙草の速やかな消化により火災予防と、副流煙を減少させる。
（ハ）　上記の点火煙草の灰皿の外への落下防止対策と、上記の点火煙草置き場所を強制する対策により、火災予防を行う。
【図面の簡単な説明】
【図１】本発明の実施例斜視図
【図２】本発明の実施例における平面図
【図３】Ａ−Ａ’断面図
【符号の説明】
１灰皿本体
２灰皿外周
３吸引側置き場
４点火溝側
５吸引側溝
６点火側置き場
７ガイド嵌合穴
８１移動ガイド
８２移動ガイド
８３移動ガイド
【図１】
2004105161.tif 000003
【図２】
2004105161.tif 000004
【図３】
2004105161.tif 000005
(57)【要約】　　　（修正有）【課題】回転やスピードコントロールをスムーズにできるスキー板を提供する。【解決手段】スキー板のエッヂを２本にすることにより、雪面を切ったり、ふみしめたり、ひっかけたりするのが今までより２倍となり、体重の移動により雪面をとらえたり、すべらせたり、流れを止めたりするのがスムーズにできる。【選択図】図３
2004105689.tif 000002
【特許請求の範囲】
【請求項１】
昔、のスキー板は木製で現在のような、グラス、フィバーとかメタルスキー板ではありませんでした。
木製スキー板の頃、私は一本のエッチを外して、もう一本の溝を堀り、ダブル、エッチの形にして、何回も何回も滑ってみました。そしたら、回転が容易にできたし、スピードが出た時のスピードコントロールがスムーズなりました。
現在のスキー板をダブル、エッチにしたら初心者にも良く中級者上級者、競技者にも良いと思います。
【発明の詳細な説明】
イ．発明の目的
（１）産業上の利用分野
現在のスキー板を利用する人が減少し、ダブルエッチスキー板を利用する人が多くなると思う。
（２）従来の技術
回転することや、スピード．コントロールがむずかしい。
（３）．発明が解決しようとする課題
現在のスキー板よりも、エッチをダブルにすることにより、回転もスピードをコントロールすることもスムーズにできる
ロ　発明の構成
（１）課題を解決するための手段
現在のスキー板よりも容易にスキーが楽しめる
（２）作用
現在のスキー板より、エッチをダブルにしたスキー板の方が今までより楽しく、早く滑れることが可能である。
（３）実施例
スピードを出しても現在のスキー板はエッチが一本なのでスピード．コントロールがむずかしかったが、ダブルエッチ、スキー板にすると一本でコントロールする所を二本でコントロールするので滑り易いのである。
ハ　発明の効果
ダブル、エッチにした方が、初心者中級者、上級者、競技用と共に適している。
【図面の簡単な説明】
１．エッチ
２　エッチ
３　エッチ
４　エッチ
2004105689.tif 000003
【手続補正書】
【提出日】平成15年1月27日(2003.1.27)
【手続補正１】
【補正対象書類名】明細書
【補正対象項目名】図面の簡単な説明
【補正方法】変更
【補正の内容】
【図面の簡単な説明】
【図１】図１は平面図である。
【図２】図２は立面図である。
【図３】図３は断面図である。
【符号の説明】
（図１）の１はスキー板である。
（図２）の２と３はエッヂである。
（図３）の４と５はエッヂである。
（図３）の６は滑走面である。


【手続補正２】
【補正対象書類名】図面
【補正対象項目名】全図
【補正方法】変更
【補正の内容】
【図１】
2004105689.tif 000004
【図２】
2004105689.tif 000005
【図３】
2004105689.tif 000006
(57)【要約】　　　（修正有）【課題】看護者が患者を取り違えたり、誤った薬剤を投与したり、経口或いは経管投与などの投与方法を間違えたり、思い込み、確認不足に起因する医療事故（医療ミス）を未然に防ぐことを目的とする。【解決手段】必要事項（患者氏名、血液型、病名、医療処置、使用薬剤名、薬剤濃度、担当看護者名）を看護者自らが記入した識別票（識別ラベル）を担当医師又は婦長に提示してチェックを受け、医療行為を開始する前にこの識別票を患者に提示して内容を説明するという３段階を確実に励行することによって医療事故を防止する。【選択図】なし【特許請求の範囲】
【請求項１】
手術の際、患者を取り違えたり、点滴に際して誤った医薬品の使用、誤った医薬品濃度で処置するといった医療事故を未然に防止するため、１、患者名　２、血液型　３、病名　４、医療処置　５、使用薬剤名　６、薬剤濃度　７、看護者氏名などを記入した粘着式の識別ラベルを患者の肘の内側に貼ることを特徴とする医療事故防止用識別ラベル。
【発明の詳細な説明】
【０００１】
［産業上の利用分野］
本発明は看護士（看護婦又は看護士）が患者に医療行為を行うに当たって、識別ラベルに医療実施者が自ら記入し、それを担当医師又は婦長に提示してチェックを受け、更に医療行為に先立って、患者に識別ラベルを提示して説明した後、識別ラベルを患者の肘のうち内側に貼付することにより、思いこみによる間違った医療行為、「医療ミス」を未然にに防ぐ医療事故防止システムに関するものである。
【０００２】
［従来の技術］
看護者が医療行為を実施するに当たって、医師から渡された指示書あるいは口頭の指示に従って医療行為を行ってきたが、短時間内に多数の患者の処置をしなければならない繁忙時などに思い込みによる間違った医療行為がしばしば発生し、社会問題になっている。。
【０００３】
［発明が解決しようとする課題］
医療現場では限られた時間内に多数の患者の医療を実施しなければならない多忙期があり、そのような場合、看護者の思い込みによる間違った医療行為、医療ミスがしばしば発生しており、これに対する適確な対策を実施することが切望されている。
【０００４】
［課題を解決するための手段］
本発明は看護士（看護婦又は看護夫）が患者に医療行為を行うに当たって、医療実施者が必要事項を自ら記入し、それを担当医師又は婦長に提示してチェックを受け、更に医療行為を行う前に患者に識別ラベルを提示して説明した後、識別ラベルを肘の内側に貼付することを義務図ける。
【０００５】
［実施例１］
医療行為を行うに先立って看護士（看護婦又は看護夫）は担当医師からの指示書或いは口述に従って第１図に示す識別票に１、患者氏名　２、血液型　３、病名　４、医療処置（点滴、酸素吸入、麻酔、薬剤の経口又は経管投与の別、検査の種類）５、使用薬剤名　６、薬剤濃度　７、担当看護者名　を記入し、記入後、担当医師又は婦長に識別標を提示してチェックを受ける。
次に看護者は医療行為を行う前に患者にこの識別票を提示して、その内容を簡単に説明しこの識別ラベルを患者の肘の内側に貼付して後に医療行為に着手する。このように医療行為の実施に当たって、１、看護者による識別票の作成　２、担当医師又は婦長に対する識別票の提示とチェックの受理、３、看護者から患者への識別票の提示と医療内容の説明、とこの３段階を義務ずけることによって看護者の思いこみによる医療事故を未然に防止することが可能になる。
(57)【要約】【課題】指尖容積脈波計またはパルスオキシメータを応用して、一回拍出量変動率の代用として脈波変動率を短時間かつ高精度かつ連続的に測定すること。【解決手段】指尖容積脈波計またはパルスオキシメータの信号を入力として一定時間内の脈波を計測し、その大きさ、面積あるいは振幅から、脈波変動率を計算して表示する。脈波変動率は物理的単位をもたず、一回拍出量変動率とよく相似するものと推測されることから、本装置は呼吸循環の有用な生体情報監視装置である。【選択図】図１
2004105682.tif 000002
【特許請求の範囲】
【請求項１】
指尖容積脈波計をもちいてその脈波の大きさを計測し計算処理することにより、脈波変動率を計測する装置。
【請求項２】
パルスオキシメータをもちいてその脈波の大きさを計測し計算処理することにより、脈波変動率を計測する装置。
【発明の詳細な説明】
【０００１】
【発明の属する分野】
本発明は呼吸循環機能を計測あるいは監視する装置に関するものである。
【０００２】
【従来の技術】
呼吸運動により胸腔内の圧変動が生じるが、このために心臓に流入する血液量が変動し一回拍出量が周期的変動することになる。これは動脈内に留置して計測する観血的動脈圧測定により連続的に監視装置に動脈波形を表示すると、呼吸に一致して周期的にその波形の大きさに違いが生じることからも推測される。
その一回拍出量変動率は次の式で計算される。
一回拍出量変動率（単位：％）＝（ＳＶ　ｍａｘ−ＳＶ　ｍｉｎ）／ｍｅａｎ　ＳＶ×１００、
但し、ＳＶｍａｘ：一定時間内または１呼吸サイクル内の一回拍出量（単位：ｍＬ）、Ｓｖｍｉｎ：一定時間内または１呼吸サイクル内の一回拍出量（単位：ｍＬ）、ｍｅａｎ　ＳＶ：一定時間内または１呼吸サイクル内の平均一回拍出量（単位：ｍＬ）であり、ＳＶｍａｘとＳＶｍｉｎから計算して代用することも可能である。
出血や脱水などで生体内の血液量が少なくなると、この値は大きくなることは医学の分野ではよく知られている。したがって、これは患者の呼吸循環の監視上、重要な生体情報である。
一回拍出量変動率は、臨床上もっとも精確には心臓の超音波検査により心臓左心室の断面積から一回拍出量を計算することにより計測が可能である。しかしこれには多大な時間と労力を要するために生体情報監視装置としての役割を果たすことが出来ない。また最近、食道内よりドップラープローブより超音波を用いて下行大動脈の血流速度から一回拍出量とその変動を計測する装置が発明されたがこれは、プローブが高価であり、患者の食道にプローブを挿入が必要という欠点がある。
また最近は熱希釈法により心拍出量（一分間に心臓から駆出される血液器量）を計測し、これと動脈圧波形の分析により一回拍出量とその変動を計測する方法もあるが、これもカテーテルの血管内留置を必要とするという欠点がある。
【０００３】
【本発明が解決しようとする課題】
指尖容積脈波計を用いて、心臓の一回の拍動駆出される一回拍出量の変動を無侵襲的に短時間に測定するものである。指尖容積脈波は脈波による指先の血液量の変化を指先の容積あるいは圧の変化として計測する装置である。
一定時間あるいは呼吸サイクル内の指尖容積脈波より最大脈波と最小脈波を計算し、その変動率を次式より計算する。
脈波変動率（％）＝（Ｐｍａｘ−Ｐｍｉｎ）／ｍｅａｎＰ×１００、
ただし、Ｐｍａｘ：一定時間内または１呼吸サイクル内の最大脈波の高さまたは面積から計算された値、Ｐｍｉｎ：一定時間内または１呼吸サイクル内の最小脈波の高さまたは面積から計算された値、ｍｅａｎＰ：一定時間内または１呼吸サイクル内の平均脈波の高さまたは面積であり、ＰｍａｘとＰｍｉｎから計算して代用することも可能である。
脈波変動率は、脈波測定の単位（ｍｍＨｇ，ｖｏｌｔ，ｍＬなど）には影響されない数字であり、一回拍出量変動率とよく相関すると考えられる。
【０００４】
指尖容積脈波をパルスオキシメータの原理で光学的に測定すれば、現在、医療の分野で広く使用されているパルスオキシメータをもちいて、脈波変動率を無侵襲に自動計測して表示することができる。これによりパルスオキシメータを簡便な脈波変動測定装置として、現在の装置に負荷価値をつけることも出来る。
【０００５】
【発明の効果】
本発明によれば、簡便かつ短時間かつ連続的に、また患者に特別な負担を与えることなく、一回拍出量変動率に代わって、脈波変動率を高精度に計測することができる。したがって本発明の装置は、救急医療や麻酔、集中治療等の分野で循環動態の計測や監視装置として日常的に用いることができ有用である。
【図面の簡単な説明】
【図１】本発明の実施の形態の全体構成を示す図。
指尖容積脈波計またはパルスオキシメータより得られる脈波を図示する。自動脈波変動計測装置の計算処理部分においてその最大振幅（Ｐｍａｘ）と最小振幅（Ｐｍｉｎ）をもとめ、それより脈波変動率を計算する。そして自動脈波変動計測装置の表示部分において、その値を連続表示する。例では１２％としている。
【図１】
2004105682.tif 000003
(57)【要約】［課題］　火事が起こっても消防車が来るまでに初期消火ができる。［解決手段］　しょいこ（キスリング）１に酸素ボンベ２と消火器３を取りつけ、これを背負って消火にあたる。【選択図】　図１
2004105690.tif 000002
【特許請求の範囲】
【請求項１】
酸素ボンベと消火器という２つのものをしょいこによって１つにまとめて火災に対応する事を技とする酸素ボンベと消火器を備えたしょいこ（キスリング）。
【請求項２】
消火器の噴射口をピストル式にして片手で持てるようにして、火災に対応する事を技とする酸素ボンベと消火器を備えたしょいこ（キスリング）。
【請求項３】
２本のボンベを簡単に背負うためにしょいこ（キスリング）で背負う事を技とした酸素ボンベと消火器を備えたしょいこ（キスリング）。
【発明の詳細な説明】
【０００１】
［発明の属する技術分野］
本発明は、火事の時に、逃げるのみならず、消防車などが来るまでの初期消火を行なう事、そのために酸素ボンベも背負って消火にあたるもの。
【０００２】
［従来の技術］
従来、消火器があり、それで煙の中を消火にあたっていた。
【０００３】
［発明が解決しようとする課題］
従来、酸素ボンベはあったが、それは一部の消防士などが使っていただけであった。そして消火器は家庭にもあったが、それは両手で操作しなければならなかった。しかも煙の中での消火であった。
【０００４】
本発明は、火災が起こっても民間人が、火災の初期消火をできる事を目的としたものである。
【０００５】
［課題を解決するための手段］
上記目的を達成するために、本発明の酸素ボンベと消火器を備えたしょいこにおいては、酸素ボンベと消火器という２つのものをしょいこによって、１つにまとめて火災に対応するものである。
【０００６】
今までの消火器は、両手で消火活動をしなければならなかった。しかし、本発明は消火器を背中に背負う事により片手で消火する事ができる、そして、それは持ちよいように、そして、目標に当たりやすいように噴射口をピストル式にしたものである。
【０００７】
そして、装備を簡単にする事と、ボンベの取りはずしを簡単にするためにしょいこ（キスリング）で背負うようにしたものである。
【０００８】
［発明の実施の形態］
発明の実施の形態を実施例にもとづき図面を参照して説明する。
図１において、しょいこ（キスリング）１に酸素ボンベ２と消火器３を乗せてベルト１０で固定する。そしてそれぞれのボンベのホース８を止め金具９で止めておく。
【０００９】
そして、ふだんは一定の決められた場所に置いておく。
【００１０】
使う時は、マスクのホースと消火器のホースをそれぞれ止め金具をはずす。そしてはじめに口と鼻にマスクをつけて、次に酸素ボンベのスイッチと消火器のスイッチを押す。そして、酸素ボンベのスイッチを押すとマスクからは酸素が出る。消火器のスイッチを押すと消火剤はピストル式噴射口の手前までくる。その後、ピストル式噴射口のレバーを押すと消火剤が飛び出す。その後、しょいこを背負う。
【００１１】
そして、ピストル式噴射口をもって、酸素を吸いながら火のそばへ行って消火活動をする。
［発明の効果］
本発明は、以上説明したように構成されているので、以下に記載されるような効果を奏する。
【００１３】
マスクから酸素を吸えるので火のそばまで近づく事ができる。特に家庭での消火を主な対象としているが、病院や人の集まる所の従業員など、それと市民の作っている消防団などでも使う事ができる。特に家庭での初期消火に威力を発揮する。
【００１４】
これを消防隊が使うなら、初期消火にならないが、家庭に１台か２台ずつ位、備えていれば、初期消火になり大きな効を奏すだろう。この事は酸素ボンベと消火器という１＋１＝２のようであるが、実際は、家庭などに置く事によって１＋１＝３の効果を生むものである。
【００１５】
そして、消火器も酸素ボンベも詰めかえができる。
【図面の簡単な説明】
【図１】酸素ボンベと消火器を備えたしょいこ（キスリング）の全容である。
【図２】消火活動を行なっているところである。
【図１】
2004105690.tif 000003
【図２】
2004105690.tif 000004